(57)【特許請求の範囲】
【請求項１】
木質板からなるパネル基材を有するパネル本体と、このパネル本体に内蔵された線ヒータと、前記線ヒータに結線された状態で前記パネル基材を横断するように前記パネル本体内に配設された電源線と、前記電源線の一端側に接続され、前記パネル本体から引き出し可能に、前記パネル基材に形成された収納凹部に収納される可動側コネクタとを備えた床暖房パネルにおいて、
前記線ヒータとの結線部分と前記可動側コネクタとの間で前記電源線にストッパ部材を固定し、このストッパ部材を前記パネル基材に形成された係合凹部に嵌め込んで前記可動側コネクタの引き出し方向に係止することによって、前記電源線を前記パネル基材に保持するようにしたことを特徴とする床暖房パネル。
【請求項２】
木質板からなるパネル基材を有するパネル本体と、このパネル本体に内蔵された線ヒータと、前記線ヒータに結線された状態で前記パネル基材を横断するように前記パネル本体内に配設された電源線と、前記電源線の一端側に接続され、前記パネル本体から引き出し可能に、前記パネル基材に形成された収納凹部に収納される可動側コネクタとを備えた床暖房パネルにおいて、
前記電源線は、２本の電線によって構成されており、前記電源線の前記線ヒータとの結線部分と前記可動側コネクタとの間において２本の前記電線を結束し、その結束部分を係止する係止部材を前記パネル基材に設けることによって、前記電源線を前記パネル基材に保持するようにしたことを特徴とする床暖房パネル。
【請求項３】
前記パネル本体は、前記パネル基材との間に前記線ヒータ及び前記電源線を挟み込むように、前記パネル基材に緩衝材が貼着されている請求項１または２に記載の床暖房パネル。
【発明の詳細な説明】
【０００１】
【発明の属する技術分野】
この発明は、パネル本体に線ヒータが内蔵された床仕上材一体型の床暖房パネルに関する。
【０００２】
【従来の技術及び発明が解決しようとする課題】
床仕上材として使用される床仕上材一体型の床暖房パネルとしては、図７及び図８に示すようなものがある。この床暖房パネル５０は、上面に突板等の表面化粧材５２が貼着された５プライ合板等からなるパネル基材５３及びこのパネル基材５３の裏面側に貼着される裏板５４からなるパネル本体５１と、パネル基材５３の裏面に所定のヒータパターンに沿って形成されたヒータ収容溝５３ａに収容される線ヒータ５５と、この線ヒータ５５に結線された状態で、パネル本体５１をその短手方向に横断するように、パネル基材５３の裏面に形成された電源線収容溝５３ｂに収容される電源線５６と、この電源線５６の一端側に接続され、パネル基材５３に固定される固定側コネクタ５７及び電源線５６の他端側に接続され、パネル本体５１から引き出し可能にパネル基材５３に形成された収納凹部５３ｃに収納される可動側コネクタ５８とを備えている。
【０００３】
ところで、こういったタイプの床暖房パネル５０を用いて床暖房フロアを施工する場合は、１枚目の床暖房パネル５０を敷設した後、そのパネル基材５３の収納凹部５３ｃ内に収納されている可動側コネクタ５８をパネル本体５１から一旦引き出して、次に敷設しようとする床暖房パネル５０の固定側コネクタ５７に接続し、固定側コネクタ５７が接続された可動側コネクタ５８を、既に敷設されている床暖房パネル５０の収納凹部５３ｃに再び収納するようにして、２枚目の床暖房パネル５０を敷設していくといった敷設方法が採用される。
【０００４】
しかしながら、前記電源線５６は、例えば、図９に示すように、固定側コネクタ５７に接続された固定側電源線５６ａと、可動側コネクタ５８に接続された可動側電源線５６ｂとに分離した状態で、両電源線５６ａ、５６ｂの端部同士を、線ヒータ５５に接続されたリード線５５ａと共に、接続端子５９を介して相互に接続することによって、電源線５６と線ヒータ（リード線５５ａ）５５とが結線されるので、床暖房パネル５０の敷設時に、可動側コネクタ５８が必要以上に大きな力で引き出されると、電源線５６と線ヒータ５５（リード線５５ａ）との結線部分Ａに大きな力が加わり、その結線部分Ａに結線不良が発生するおそれがある。しかも、結線不良が発生しているか否かは、通常、床暖房パネル５０の敷設後に行われる通電試験等によって発見されるので、そのような結線不良が発生した床暖房パネルの交換作業は手間がかかるものとなっていた。
【０００５】
また、裏板５４に代えてクッション性の良好な緩衝材を貼着した遮音性を有する直貼りタイプの床暖房パネルでは、可動側コネクタ５８を引き出す際に電源線５６が位置ずれを起こすことで、線ヒータ（リード線５５ａ）５５や電源線５６がヒータ収容溝５３ａや電源線収容溝５３ｂから脱落して、緩衝材とパネル基材５３との間に入り込んでしまうことがあり、これによって床暖房パネルの厚みが部分的に厚くなって、綺麗に敷設することができなくなるといった問題もある。
【０００６】
そこで、この発明の課題は、パネル敷設時に行われるコネクタの引き出しに伴う電源線と線ヒータとの結線不良を有効に防止することができる床暖房パネルを提供することにある。
【０００７】
【課題を解決するための手段及びその効果】
上記の課題を解決するため、請求項１に係る発明は、木質板からなるパネル基材を有するパネル本体と、このパネル本体に内蔵された線ヒータと、前記線ヒータに結線された状態で前記パネル基材を横断するように前記パネル本体内に配設された電源線と、前記電源線の一端側に接続され、前記パネル本体から引き出し可能に、前記パネル基材に形成された収納凹部に収納される可動側コネクタとを備えた床暖房パネルにおいて、前記線ヒータとの結線部分と前記可動側コネクタとの間で前記電源線にストッパ部材を固定し、このストッパ部材を前記パネル基材に形成された係合凹部に嵌め込んで前記可動側コネクタの引き出し方向に係止することによって、前記電源線を前記パネル基材に保持したのである。なお、ここにいう「線ヒータとの結線部分」というのは、電源線と線ヒータとを直接結線した場合は、文字通り、電源線と線ヒータとの結線部分を意味するが、線ヒータをリード線を介して電源線に結線した場合には、そのリード線と電源線との結線部分を意味している。
【０００８】
以上のように構成された床暖房パネルでは、線ヒータとの結線部分と可動側コネクタとの間で前記電源線にストッパ部材を固定し、このストッパ部材を前記パネル基材に形成された係合凹部に嵌め込んで前記可動側コネクタの引き出し方向に係止することによって、電源線がパネル基材に保持されているので、可動側コネクタがパネル基材に形成された収納凹部から必要以上に大きな力で引き出されたとしても、その大きな引出力が直接電源線と線ヒータとの結線部分に加わることがなく、可動側コネクタを引き出す際に発生する電源線と線ヒータとの結線不良を有効に防止することができる。
【０００９】
また、請求項２に係る発明のように、木質板からなるパネル基材を有するパネル本体と、このパネル本体に内蔵された線ヒータと、前記線ヒータに結線された状態で前記パネル基材を横断するように前記パネル本体内に配設された電源線と、前記電源線の一端側に接続され、前記パネル本体から引き出し可能に、前記パネル基材に形成された収納凹部に収納される可動側コネクタとを備えた床暖房パネルにおいて、前記電源線は、２本の電線によって構成されており、前記電源線の前記線ヒータとの結線部分と前記可動側コネクタとの間において２本の前記電線を結束し、その結束部分を係止する係止部材を前記パネル基材に設けることによって、前記電源線を前記パネル基材に保持するようにしてもよい。
【００１０】
また、請求項３に記載の床暖房パネルのように、前記パネル本体が、前記パネル基材との間に前記線ヒータ及び前記電源線を挟み込むように、前記パネル基材に緩衝材を貼着したものにあっては、可動側コネクタを収納凹部から引き出す際に電源線が位置ずれを起こすことで、線ヒータや電源線が緩衝材とパネル基材との間に入り込んでしまい、床暖房パネルの厚みが部分的に厚くなるといった問題も有効に防止することができる。
【００１１】
【発明の実施の形態】
以下、実施の形態について図面を参照して説明する。図１及び図２に示すように、この床暖房パネル１は、コンクリートスラブの上に直接敷設される直貼工法用の床暖房パネルであり、雁行形状のパネル本体１１と、このパネル本体１１に内蔵される線ヒータ１５及び２本の電線１６ａ、１６ｂからなる電源線１６とを備えている。
【００１２】
前記パネル本体１１は、図２に示すように、表面に突板等の表面化粧材１２が貼着された５プライ合板等の木質板からなるパネル基材１３と、多数のポリエステル繊維を交絡させたクッション性の良好な緩衝材１４とから構成されており、この緩衝材１４は、線ヒータ１５をパネル基材１３との間に挟み込むようにして、パネル基材１３の裏面に塗布された接着剤によってパネル基材１３の裏面に貼着されている。
【００１３】
前記パネル基材１３は、図１に示すように、４枚の基材ピースを長手方向にずらしながら雁行状に接続したものであり、このパネル基材１３の裏面には、短手方向に延びる多数の切溝１３ａ（図１では省略してある）と、長手方向の中央部を短手方向に横断する、電源線１６を収容するための電源線収容溝１３ｂとを備えている。
【００１４】
前記線ヒータ１５は、図１に示すように、パネル基材１３を略均等に加熱するように、所定のヒータパターンに沿って配線されており、その両端部が、電源線１６を構成する２本の電線１６ａ、１６ｂに、図示しないリード線を介してそれぞれ接続されている。
【００１５】
前記電源線１６には、パネル基材１３に固定される固定側コネクタ１７と、パネル本体１１から引き出し可能にパネル基材１３に形成された収納凹部１３ｃに収納される可動側コネクタ１８とがそれぞれ接続されており、線ヒータ１５の結線部分Ａと可動側コネクタ１８との間には、ストッパ部材２０が固定されている。
【００１６】
このストッパ部材２０は、図３（ａ）、（ｂ）、（ｃ）に示すように、樹脂ヒンジ２２を介して開閉可能に接続された一対の合成樹脂製の挟持部材２１によって構成されており、この挟持部材２１によって、電源線１６を構成する２本の電線１６ａ、１６ｂを同時に挟み込んで締め付け、図示しないロック機構によって、その締め付け状態をロックすることで、電源線１６に固定するようになっている。各挟持部材２１には、電線１６ａ、１６ｂがそれぞれ嵌り込む溝状の挟持部２１ａが形成されており、この挟持部２１ａの湾曲した挟持面には、各電線１６ａ、１６ｂに対する締め付け力を高めるために、多数の切溝２１ｂが形成されている。
【００１７】
このストッパ部材２０は、図１及び図４（ａ）、（ｂ）、（ｃ）に示すように、２本の電線１６ａ、１６ｂに固定した状態で、パネル基材１３に形成された係合凹部１３ｄに嵌め込むことによって、線ヒータ１５の結線部分Ａより可動側コネクタ１８側で、電源線１６がパネル基材１３に保持されるようになっている。
【００１８】
以上のように構成された床暖房パネル１を用いて床暖房フロアを施工する場合は、まず、１枚目の床暖房パネル１を敷設し、そのパネル基材１３の収納凹部１３ｃ内に収納されている可動側コネクタ１８をパネル本体１１から一旦引き出して、次に敷設しようとする床暖房パネル１の固定側コネクタ１７に接続し、２枚目の床暖房パネル１の固定側コネクタ１７に接続された可動側コネクタ１８を、既に敷設されている床暖房パネル１の収納凹部１３ｃに再び収納しながら、２枚目の床暖房パネル１を敷設していくといった具合に床暖房パネル１の敷設作業が行われる。
【００１９】
このような床暖房パネル１の敷設作業において、可動側コネクタ１８が必要以上に大きな力で収納凹部１３ｃから引き出された場合でも、線ヒータ１５の結線部分Ａと可動側コネクタ１８との間で、電源線１６がストッパ部材２０を介してパネル基材１３に保持されているので、その大きな引出力が直接電源線１６と線ヒータ１５との結線部分Ａに加わることがなく、床暖房パネル１の敷設作業時に、電源線１６と線ヒータ１５との結線部分に発生する結線不良を有効に防止することができる。これによって、従来のように、床暖房フロアの施工後に、結線不良の床暖房パネルを交換するといった面倒な作業を行うことがほとんどなくなり、効率よく、床暖房フロアを施工することができる。
【００２０】
また、可動側コネクタ１８を収納凹部１３ｃから引き出す際に電源線１６が位置ずれを起こすことがないので、線ヒータ１５（リード線）や電源線収容溝１３ｂから脱落した電源線１６が、緩衝材１４とパネル基材１３との間に入り込んで床暖房パネル１の厚みが部分的に厚くなるといったこともなく、床暖房フロアを常に綺麗に仕上げることができる。
【００２１】
図５及び図６は、他の実施形態を示している。これらの床暖房パネルも基本的な構造は、上述した床暖房パネル１と同様であるので、同一構成要素には、同一符号を付してその説明を省略し、異なる部分について詳細に説明する。上述した床暖房パネル１は、電源線１６にストッパ部材２０を固定し、このストッパ部材２０をパネル基材１３に形成された係合凹部１３ｄに嵌め込むことによって、電源線１６をパネル基材１３に保持するようにしているが、これらの床暖房パネルでは、そういったストッパ部材２０を使用せずに電源線１６をパネル基材１３に保持するようにした点で、床暖房パネル１とは異なる。
【００２２】
図５に示す床暖房パネルは、同図（ａ）に示すように、線ヒータ１５の結線部分Ａと可動側コネクタ１８との間において、電源線収容溝１３ｂに電源線１６を構成する２本の電線１６ａ、１６ｂを強制的に湾曲させる案内部３０が設けられている。この案内部３０は、同図（ａ）、（ｂ）、（ｃ）に示すように、電源線収容溝１３ｂの側壁の一部を、外側に突出させるように湾曲させることによって電源線収容溝１３ｂを幅広に形成すると共に、この電源線収容溝１３ｂの幅広部１３ｅにガイド体３１を設けることによって、幅広部１３ｅの湾曲した側壁に沿って各電線１６ａ、１６ｂをそれぞれ通すことができる程度の通路を形成したものであり、このガイド体３１は、パネル基材１３に電源線収容溝１３ｂ（１３ｅ）を形成する際に、パネル基材１３の一部を残すことによって、パネル基材１３に一体的に形成されている。
【００２３】
このように、電源線１６を構成する電線１６ａ、１６ｂを、湾曲した狭小の通路を通すようにしておくと、その湾曲した狭小の通路を構成している電源線収容溝１３ｂ（幅広部１３ｅ）及びガイド体３１の双方の側壁に、電線１６ａ、１６ｂが接触することによって、電源線１６が容易に位置ずれしなくなる。従って、上述した床暖房パネル１と同様に、可動側コネクタ１８が必要以上に大きな力で収納凹部１３ｃから引き出された場合でも、その大きな引出力が直接電源線１６と線ヒータ１５との結線部分Ａに加わることがなく、床暖房パネルの敷設作業の際に、電源線１６と線ヒータ１５との結線部分Ａに発生する結線不良や、電源線１６が位置ずれすることに伴って、線ヒータ１５（リード線）や電源線１６がパネル基材１３と緩衝材１４との間に入り込むといった状態を有効に防止することができる。
【００２４】
なお、この実施形態では、案内部３０において電線１６ａ、１６ｂを湾曲させるようにしているが、こういったものに限定されるものではなく、例えば、電線１６ａ、１６ｂを屈曲させることによって、パネル基材１３に保持することも可能である。
【００２５】
また、この実施形態では、２本の電線１６ａ、１６ｂを、それぞれ異なる方向に湾曲させるようにしているが、２本の電線１６ａ、１６ｂをまとめて同方向に湾曲または屈曲させることも可能である。
【００２６】
また、この実施形態では、電源線収容溝１３ｂを形成する際に、パネル基材１３の一部を残すことによって、ガイド体３１を形成するようにしているが、別部材を電源線収容溝１３ｂの幅広部１３ｅに固着するようにしてもよい。
【００２７】
図６に示す床暖房パネルは、同図（ａ）、（ｂ）に示すように、線ヒータ１５の結線部分Ａと可動側コネクタ１８との間において、電源線１６を構成する２本の電線１６ａ、１６ｂを結束部材４０によって結束すると共に、同図（ａ）、（ｃ）に示すように、その結束位置よりも可動側コネクタ１８側において、その結束部分を、パネル基材１３の電源線収容溝１３ｂに形成された係止部材４１に係止することで、電源線１６をパネル基材１３に保持するようにしている。
【００２８】
従って、上述した床暖房パネル１と同様に、可動側コネクタ１８が必要以上に大きな力で収納凹部１３ｃから引き出された場合でも、その大きな引出力が直接電源線１６と線ヒータ１５との結線部分Ａに加わることがなく、床暖房パネルの敷設作業の際に、電源線１６と線ヒータ１５との結線部分Ａに発生する結線不良や、電源線１６が位置ずれすることに伴って、線ヒータ１５（リード線）や電源線１６がパネル基材１３と緩衝材１４との間に入り込むといった状態を有効に防止することができる。
【００２９】
なお、この実施形態では、係止部材４１よりも固定側コネクタ１７側において、電源線１６を結束するようにしているが、係止部材４１を挟んでその両側をそれぞれ結束することも可能である。
【００３０】
また、この実施形態では、パネル基材１３に電源線収容溝１３ｂを形成する際に、パネル基材１３の一部を残すことによって、係止部材４１を形成するようにしているが、別部材を電源線収容溝１３ｂに固着するようにしてもよい。その場合、この係止部材４１のように、ある程度の厚み（幅）を有するものではなく、例えば、金属片のように厚みのほとんどないものを係止部材として電源線収容溝１３ｂに取り付けておくと、係止部材を挟み込んだ状態の電線１６ａ、１６ｂが外側に張り出すことがないので、電源線収容溝１３ｂの幅を最小限に抑えることができる。
【００３１】
また、上述した各実施形態では、単独の床暖房パネルについて説明したが、本発明は、複数の床暖房パネルの各パネル本体に内蔵されたそれぞれの線ヒータが、短手方向に整列された複数のパネル本体をその短手方向に横断する共通の電源線に予め結線されており、その共通の電源線の一端に固定側コネクタが、他端に可動側コネクタがそれぞれ接続されている床暖房パネルユニットについても適用することができる。
【００３２】
このような床暖房パネルユニットの場合、少なくとも、可動側コネクタが引き出し可能に収納される一の床暖房パネルについては、線ヒータの結線部分と可動側コネクタとの間において、上述した各手法を用いて、共通の電源線をその床暖房パネルのパネル基材に保持しておかなければならないが、電源線は隣接する床暖房パネル側にも引き出されているので、線ヒータとの結線部分を境にしてその引き出し側についても電源線をパネル基材に保持しておくことが望ましい。さらに、固定側コネクタが保持される床暖房パネルや、コネクタを備えていない中間の床暖房パネルが存在する場合は、そういった床暖房パネルについても、線ヒータの結線部分を境にして電源線の引き出し側をそれぞれ各床暖房パネルのパネル基材に保持しておくことが望ましい。即ち、固定側コネクタが保持される床暖房パネルについては、線ヒータとの結線部分を境にして固定側コネクタの反対側を、また、中間の床暖房パネルについては、線ヒータとの結線部分の両側をそれぞれパネル基材に保持しておくことが望ましい。
【００３３】
また、上述した各実施形態では、本発明を、パネル基材１３の裏面に緩衝材１４を貼着した直貼工法用の床暖房パネルに適用した場合について説明したが、本発明は、緩衝材１４に代えて裏板を貼着した捨貼工法用の床暖房パネルについても適用することができることは言うまでもない。
【図面の簡単な説明】
【図１】この発明にかかる一実施形態である床暖房パネルの緩衝材を取り除いた状態を示す平面図である。
【図２】同上の床暖房パネルを示す断面図である。
【図３】（ａ）は同上の床暖房パネルに使用されるストッパ部材を示す平面図、（ｂ）は同上のストッパ部材を示す側面図、（ｃ）は同上のストッパ部材を電源線に固定した状態を示す側面図である。
【図４】（ａ）は同上のストッパ部材によって電源線をパネル基材に保持した状態を示す部分平面図、（ｂ）は（ａ）のＵ−Ｕ線に沿った断面図、（ｃ）は（ａ）のＶ−Ｖ線に沿った断面図である。
【図５】（ａ）は他の実施形態を示す部分平面図、（ｂ）は（ａ）のＷ−Ｗ線に沿った断面図、（ｃ）は（ａ）のＸ−Ｘ線に沿った断面図である。
【図６】（ａ）は他の実施形態を示す部分平面図、（ｂ）は（ａ）のＹ−Ｙ線に沿った断面図、（ｃ）は（ａ）のＺ−Ｚ線に沿った断面図である。
【図７】従来の床暖房パネルの裏板を取り除いた状態を示す平面図である。
【図８】同上の床暖房パネルを示す断面図である。
【図９】同上の床暖房パネルにおける電源線と線ヒータとの結線方法を示す概略図である。
【符号の説明】
１  床暖房パネル
１１  パネル本体
１３  パネル基材
１３ｂ  電源線収容溝
１３ｃ  収納凹部
１３ｄ  係合凹部
１３ｅ  幅広部
１５  線ヒータ
１６  電源線
１６ａ、１６ｂ  電線
１７  固定側コネクタ
１８  可動側コネクタ
２０  ストッパ部材
３０  案内部
３１  ガイド体
４０  結束部材
４１  係止部材
【図１】
0004007718.tif 000002
【図２】
0004007718.tif 000003
【図３】
0004007718.tif 000004
【図４】
0004007718.tif 000005
【図５】
0004007718.tif 000006
【図６】
0004007718.tif 000007
【図７】
0004007718.tif 000008
【図８】
0004007718.tif 000009
【図９】
0004007718.tif 000010